(57)【要約】【課題】こじり嵌合を防止する信頼性の高いコネクタを提供する。【解決手段】ハウジング１０は、雄端子金具１００の本体部１０１を支持し、先方に雄端子金具１００のタブ１０２を突出させる。フレーム４０は、タブ１０２を包囲するフード４１と、タブ１０２が位置決め状態で貫通する保護壁４２とを有する。フード４１内に相手ハウジング６０が挿入され、保護壁４２に相手ハウジング６０が対面した状態で、レバー８０が嵌合方向に変位操作される。フレーム４０は、保護壁４２がタブ１０２の先端側に位置する初期位置からタブ１０２の基端側に位置する嵌合位置へとハウジング１０に対して相対移動する。【選択図】図３
2019096535.tif 000002
【特許請求の範囲】
【請求項１】
雄端子金具の本体部分を支持し、先方に前記雄端子金具のタブを突出させるハウジングと、
前記タブを包囲し、内側に相手ハウジングを挿入させるフードと、前記タブが位置決め状態で貫通し、前記相手ハウジングに対面する保護壁とを有し、前記保護壁が前記タブの先端側に位置する初期位置から前記タブの基端側に位置する嵌合位置へと前記ハウジングに対して相対移動可能なフレームと、を備えるコネクタ。
【請求項２】
前記ハウジングと前記相手ハウジングのいずれか一方に変位可能に設けられ、他方とカム係合して両ハウジングを互いに引き寄せ又は引き離すレバーを備える請求項１に記載のコネクタ。
【請求項３】
前記レバーは、前記相手ハウジング側に設けられている請求項２に記載のコネクタ。
【請求項４】
前記ハウジングは、先方に突出する位置に、前記レバーのカム溝にカム係合されるカム軸を有し、前記フードは、前記カム軸を逃がす逃がし空間部を有している請求項２または請求項３に記載のコネクタ。
【請求項５】
前記ハウジングは、複数の分割ハウジングを積層して構成される請求項１ないし請求項４のいずれか１項に記載のコネクタ。
【発明の詳細な説明】
【技術分野】
【０００１】
本発明は、コネクタに関する。
【背景技術】
【０００２】
特許文献１に開示のコネクタは、第１のコネクタ筐体、第２のコネクタ筐体、レバー、複数のオス端子及びオス端子保護部材を備えている。第１のコネクタ筐体は、第１のコネクタ本体と、第１のコネクタ本体に一体に連設される被覆部材とを有している。第２のコネクタ筐体は、被覆部材内のコネクタ筐体空洞に嵌合可能とされている。レバーは、第１のコネクタ筐体に回動可能に支持され、第２のコネクタ筐体を第１のコネクタ本体へ引き寄せるカム機構を有している。各オス端子は、コネクタ筐体空洞に突出するタブ部分を有している。オス端子保護部材は、オス端子のタブ部分を位置決め挿入可能な複数の端子開口部を有する本体を備えている。このオス端子保護部材は、コネクタ筐体空間に収容され、レバーの回動操作によって第１のコネクタ筐体に対して保護部材プリセット位置から保護部材フルセット位置へとスライド移動する。保護部材プリセット位置では、本体が各オス端子のタブ部分の先端側に位置し、保護部材フルセット位置では、本体が各オス端子のタブ部分の基端部に位置するように構成される。
【先行技術文献】
【特許文献】
【０００３】
【特許文献１】特開２０１６−４２４５５号公報
【発明の概要】
【発明が解決しようとする課題】
【０００４】
上記において、第２のコネクタ筐体が第１のコネクタ筐体のコネクタ筐体空間に対して嵌合軸から傾斜した不正姿勢をとってこじり嵌合されようとすると、第２のコネクタ筐体がオス端子保護部材と当接することで、オス端子のタブ部分が損傷または座屈するのを防止することができる。しかし、オス端子保護部材に対して不正姿勢の第２のコネクタ筐体から過大な衝突力が加わると、オス端子保護部材が不用意に落ち込み、オス端子のタブ部分に第２のコネクタ筐体が干渉するおそれがある。
【０００５】
本発明は上記のような事情に基づいて完成されたものであって、こじり嵌合を防止する信頼性の高いコネクタを提供することを目的とする。
【課題を解決するための手段】
【０００６】
本発明のコネクタは、雄端子金具の本体部分を支持し、先方に前記雄端子金具のタブを突出させるハウジングと、
前記タブを包囲し、内側に相手ハウジングを挿入させるフードと、前記タブが位置決め状態で貫通し、前記相手ハウジングに対面する保護壁とを有し、前記保護壁が前記タブの先端側に位置する初期位置から前記タブの基端側に位置する嵌合位置へと前記ハウジングに対して相対移動可能なフレームと、を備えるところに特徴を有する。
【発明の効果】
【０００７】
相手ハウジングがフード内に挿入されて保護壁に対面した状態で、両ハウジングが互いに接近させられると、保護壁がタブの先端側の位置する初期位置からタブの基端側に位置する嵌合位置へとハウジングに対してフレームが相対移動することができる。フレームが相対的に初期位置にあるときには、フレームがハウジングに対して相対移動する距離分、嵌合位置にあるときよりもハウジングの端面からフードの先端までの距離（フード部分全体の深さ）を長く確保することができる。このため、仮に、不正姿勢の相手ハウジングがフードに挿入されても保護壁に当接するのを防止することができ、こじり嵌合を防止する信頼性を高めることができる。
【図面の簡単な説明】
【０００８】
【図１】本発明の実施例１のコネクタにおいて、レバーが仮係止位置に保持され、雄コネクタ及び雌コネクタの嵌合動作を開始する状態を、雌コネクタの背面側から視た図である。
【図２】図１のＡ−Ａ線断面図である。
【図３】図２の状態からレバーが本係止位置に押し込まれ、雄コネクタ及び雌コネクタが正規嵌合された状態を示す図である。
【図４】雄端子金具を省略した雄コネクタの正面図である。
【図５】図４のＢ−Ｂ線断面図である。
【図６】図４のＣ−Ｃ線断面図である。
【図７】図４のＤ−Ｄ線断面図である。
【図８】ハウジングの正面図である。
【図９】ハウジングの側面図である。
【図１０】ハウジングの平面図である。
【図１１】フレームの正面図である。
【図１２】フレームの平面図である。
【図１３】レバーが仮係止位置に保持された雌コネクタの正面図である。
【図１４】レバー及び相手ハウジングの分離平面図である。
【図１５】実施例２のハウジングの正面図である。
【発明を実施するための形態】
【０００９】
本発明の好ましい実施形態を以下に示す。
前記ハウジングと前記相手ハウジングのいずれか一方に変位可能に設けられ、他方とカム係合して両ハウジングを互いに引き寄せ又は引き離すレバーを備えるとよい。これによれば、レバーの変位操作に基づいて、両ハウジングを円滑に接近・離脱させることができるとともに、ハウジングに対するフレームの相対位置を初期位置と嵌合位置とに変位させることができる。
【００１０】
前記レバーは、前記相手ハウジング側に設けられているとよい。ハウジングとフレームとは互いに相対移動して重なり合う部分を形成し得るため、ハウジングにレバーの設置スペースを設けにくいという事情がある。その点、相手ハウジングはレバーの設置スペースを設け易く、レバーの設置自由度を高めることができる。
【００１１】
前記ハウジングは、先方に突出する位置に、前記レバーのカム溝にカム係合されるカム軸を有し、前記フードは、前記カム軸を逃がす逃がし空間部を有しているとよい。これによれば、例えば、ハウジングにフレームを組み付ける際に、カム軸が逃がし空間部に逃がされ、フレームと干渉するのを回避することができる。
【００１２】
前記ハウジングは、複数の分割ハウジングを積層して構成されるとよい。このようにハウジングが複数の分割ハウジングで構成される場合、ハウジングとフードとが別体にならざるを得ず、雄端子金具のタブを保護しようとすると、従来においては、さらに背景技術に記載したオス端子保護部材に相当するムービングプレートをフードとは別に設けなければならなかった。その点、本構成の場合、フードと保護壁とをフレームに一体に設けることができるため、フードとムービングプレートとが別体になる従来の場合に比べ、部品点数を減らすことができ、組み付け及び部品管理の煩わしさを解消することができる。
【００１３】
＜実施例１＞
以下、実施例１を図１〜図１４に基づいて説明する。本実施例１のコネクタは、ハウジング１０、相手ハウジング６０、レバー８０、フレーム４０、複数の雄端子金具１００及び複数の雌端子金具２００を備えている。このうち、ハウジング１０、フレーム４０及び複数の雄端子金具１００が組み合されて雄コネクタＣ１を構成し、相手ハウジング６０、レバー８０及び複数の雌端子金具２００が組み合わされて雌コネクタＣ２を構成している。雄コネクタＣ１及び雌コネクタＣ２は互いに嵌合可能とされている。なお、以下の説明において、前後方向については、雄コネクタＣ１及び雌コネクタＣ２が嵌合開始時に互いに向き合う面側を前側とし、上下方向については、図１０、図１２及び図１４を除く各図を基準とする。
【００１４】
［雌コネクタＣ２］
相手ハウジング６０は合成樹脂製であって、図１及び図１３に示すように、略角ブロック状の相手ハウジング本体６１と、相手ハウジング本体６１の外周を包囲する略角筒状の枠部６２とを有している。相手ハウジング本体６１と枠部６２とは、後端側に設けられた連結部６４によって互いに連結されている。
【００１５】
相手ハウジング本体６１は、複数の相手キャビティ６３を有している。図２及び図３に示すように、各相手キャビティ６３には、雌端子金具２００が収容される。また、相手ハウジング本体６１は、各相手キャビティ６３に連通して上面に開口するリテーナ装着孔６５を有している。リテーナ装着孔６５には、合成樹脂製のリテーナ９０が挿入される。
【００１６】
雌端子金具２００は導電性の金属板を曲げ加工などして成形され、図２及び図３に示すように、全体として前後方向に細長い形態になっている。雌端子金具２００は、電線２１０の端末部に圧着により接続され、前側に、筒状の接続部２０１を有している。この雌端子金具２００は、接続部２０１がリテーナ９０に係止されることで、相手キャビティ６３に抜け止めされた状態に収容される。
【００１７】
枠部６２は、上下部分に、それぞれ、レバー８０を受けるレバー受部６６を有している。各レバー受部６６は、上下で対向する二重壁を有し、二重壁間に、レバー８０の移動空間６７を有している。図１３に示すように、各レバー受部６６は、左右中央側に、前面及び下面に開口して移動空間６７に連通する切欠状の導入口６８を有し、左右両側に、前面に矩形状に開口して移動空間６７に連通する左右夫々の係止口６９を有している。また、枠部６２は、左右部分の上下中央側に、相手ハウジング本体６１側に臨む左右夫々のロック部７１を有している。ロック部７１は、左右（内外）に撓み変形可能な形態になっている。
【００１８】
レバー８０は合成樹脂製であって、図１３に示すように、上下方向に沿った操作部８１と、操作部８１の上下端から互いに平行に突出する上下夫々のカム板部８２とを有している。各カム板部８２は、図１４に示すように、板厚方向に貫通し、曲状に延びて前端に開口するカム溝８３を有している。また、各カム板部８２は、前端に、左右夫々の係止片８４を有している。各係止片８４は、カム板部８２の前端に沿って片持ち状に延出する撓み変形可能な形態になっている。各カム板部８２の前端には、図１４の左側から右側にかけて、それぞれ、カム溝８３の入り口、２つの係止片８４が順次並んで配置されることになる。
【００１９】
各カム板部８２は、相手ハウジング６０の各レバー受部６６の移動空間６７に図１４の矢印方向から差し込まれる。各カム板部８２が移動空間６７に浅く差し込まれると、図１３に示すように、図示左側の係止片８４が図示右側の係止口６９に弾性的に係止され、レバー８０が相手ハウジング６０に対して仮係止位置に移動規制状態に保持される。仮係止位置では、操作部８１が枠部６２の図示右側面から離間し、カム溝８３の入り口が導入口６８に臨むように配置される。さらに、レバー８０に押し込み力が付与され、上記した係止片８４と係止口６９との係止が解除されると、レバー８０が移動空間６７を図示左側へスライド移動する。各カム板部８２が移動空間６７に深く差し込まれると、図示左側の係止片８４が図示左側の係止口６９に弾性的に係止されるとともに、図示右側の係止片８４が図示右側の係止口６９に弾性的に係止され、レバー８０が相手ハウジング６０に対して本係止位置に移動規制状態に保持される。本係止位置では、カム溝８３の入り口が図示左側に変位し、操作部８１が枠部６２の図示右側面に近接して配置される。
【００２０】
［雄コネクタＣ１］
ハウジング１０は合成樹脂製であって、図８に示すように、上下に積層される複数の分割ハウジング１１によって構成されている。各分割ハウジング１１は、それぞれ、平面視略矩形の扁平板状をなし、各相手キャビティ６３と各段毎に対応して、複数のキャビティ１２を有している。各キャビティ１２は、分割ハウジング１１の上面に左右に並んで配置される断面略矩形の溝形状を呈している。図２及び図３に示すように、各キャビティ１２の底面には、固定ランス１３が突設されている。各キャビティ１２には、雄端子金具１００が挿入される。
【００２１】
雄端子金具１００は導電性の金属板を曲げ加工などして成形され、全体として前後方向に細長い形態になっている。雄端子金具１００は、電線１１０の端末部に圧着により接続され、筒状の本体部１０１（本体部分）と、本体部１０１から前方に突出するピン状のタブ１０２とを有している。
【００２２】
各分割ハウジング１１は、左右側面の前後中央側において一段落ちた溝底部分に、それぞれ、係止構造を有している。図９に示すように、上下段を除く分割ハウジング１１は、係止構造として係止突起１４と上方に突出する係止腕１５とを有し、下段の分割ハウジング１１は、係止構造として上方に突出する係止腕１５のみを有し、上段の分割ハウジング１１は、係止構造として係止突起１４のみを有している。下側の分割ハウジング１１の係止腕１５が上側の分割ハウジング１１の係止突起１４に弾性的に係止されることにより、各分割ハウジング１１が上下方向に積層状態に保持されるようになっている。
【００２３】
各キャビティ１２には上方から雄端子金具１００が挿入され、固定ランス１３に引っ掛け係止される。各分割ハウジング１１が積層状態になることにより、各キャビティ１２の上面開口が上側の分割ハウジング１１により閉塞され、雄端子金具１００がキャビティ１２に抜け止めされた状態に収容される。
【００２４】
図８〜図１０に示すように、上段の分割ハウジング１１は、上面の左右中央側に、前方へ突出する板片状の延出部１６を有している。同様に、下段の分割ハウジング１１は、下面の左右中央部に、前方へ突出する板片状の延出部１６を有している。上側の延出部１６は、上面の左右中央側が左右両端側より一段高くされ、その上面の左右中央側の先端部分に、上方に突出するカム軸１７を有している。下側の延出部１６は、下面の左右中央側が左右両端側より一段低くされ、その下面の左右中央側の先端部分に、下方に突出するカム軸１７を有している。端的には、上下夫々の延出部１６及びカム軸１７は、雄コネクタＣ１の上下中央を挟んで線対称に配置されている。なお、カム軸１７は、円柱状の本体部分の先端に、全周にわたって張り出す鍔部１８を有している。
【００２５】
図８及び図１０に示すように、上段の分割ハウジング１１は、上面における左右方向に間隔をあけた４か所で一段落ちた溝底部分に、対をなす爪状の前進規制部１９及び後退規制部２１を有している。各後退規制部２１は、延出部１６を挟んだ左右両側に配置され、各前進規制部１９は、各後退規制部２１よりも外側で且つ前方に配置されている。図８に示すように、下段の分割ハウジング１１も、下面に、同じく対をなす爪状の前進規制部１９及び後退規制部２１を有している。上下夫々の各前進規制部１９及び各後退規制部２１は、雄コネクタＣ１の上下中央を挟んで線対称に配置されている。
【００２６】
フレーム４０は合成樹脂製であって、図１１及び図１２に示すように、前後方向に延出する略角筒状のフード４１と、フード４１に一体に連設され、フード４１内を閉塞する板状の保護壁４２とを有している。図６及び図７に示すように、フード４１内は、保護壁４２の後方に、ハウジング１０を収容する収容空間部４３を有し、保護壁４２の前方に、相手ハウジング６０を挿入する挿入空間部４４を有している。
【００２７】
フード４１は、収容空間部４３を区画する上下壁の左右中央側に、それぞれ、外側へ断面略矩形状に膨出する膨出部４５を有している。各膨出部４５は、収容空間部４３のほぼ全域にわたって前後方向に延出するトンネル形状を呈している。各膨出部４５の内側は、前後方向に貫通する逃がし空間部４６になっている。
【００２８】
また、フード４１は、上下壁の左右中央側に、それぞれ、図５に示すように、挿入空間部４４側と収容空間部４３側とに跨るように前後方向に延びて後端に開口する進入溝４７を有している。進入溝４７は、逃がし空間部４６に含まれ、逃がし空間部４６は、進入溝４７を通して収容空間部４３に連通している。フード４１は、上下壁の前端に、それぞれ、進入溝４７の前端を区画するブリッジ部４８を有している。
【００２９】
図１１に示すように、フード４１は、収容空間部４３を区画する上下壁の内面に、それぞれ、対をなす前側ストッパ４９及び後側ストッパ５１を有している。各後側ストッパ５１は、膨出部４５を挟んだ左右両側に配置され、各前側ストッパ４９は、各後側ストッパ５１よりも外側で且つ前方に配置されている。各後側ストッパ５１は、図６に示すように、フード４１の内側上下面の後端から前方へ片持ち状に突出する撓み変形可能な形態とされている。各前側ストッパ４９は、図７に示すように、爪状に形成されている。また、図１１及び図１２に示すように、フード４１は、挿入空間部４４を区画する左右側壁の外面に、それぞれ、ロック突起５２を有している。
【００３０】
図１１に示すように、保護壁４２は、上下方向及び左右方向に沿った平板状をなし、上下縁及び左右縁（角部分を含む）がフード４１の内面に一体に連結されている。保護壁４２は、各雄端子金具１００のタブ１０２と対応する位置に、複数の位置決め孔５３を有している。各位置決め孔５３は、図５〜図７に示すように、保護壁４２を板厚方向（壁厚方向、前後方向）に貫通し、保護壁４２の板厚内で前方へ向けてテーパ状に縮径する部分を有している。各位置決め孔５３の開口径は、対応するタブ１０２の外径寸法に対応している。図６、図７及び図１１に示すように、保護壁４２は、上下縁における各前側ストッパ４９及び各後側ストッパ５１を投影した位置に、それぞれ、型抜き孔５４を有している。各型抜き孔５４は、各前側ストッパ４９及び各後側ストッパ５１を成形する金型の通過に起因して形成される。
【００３１】
以上が本実施例１のコネクタの構成であり、続いて、本実施例１の作用効果を説明する。
雄コネクタＣ１の組み付けに際し、まず、各分割ハウジング１１が各雄端子金具１００を保持しつつ積層状態に保持され、もってハウジング１０が構成される。続いて、フレーム４０のフード４１の収容空間部４３に後方からハウジング１０が挿入される。図７に示すように、各前進規制部１９が各前側ストッパ４９に当接可能に配置され、図６に示すように、各後退規制部２１が各後側ストッパ５１に弾性的に係止可能に配置されることで、フレーム４０がハウジング１０に対して相対的に移動規制された状態で初期位置に保持される。初期位置では、ハウジング１０の前面が保護壁４２より後方に離間して配置される。また、初期位置では、各カム軸１７が各膨出部４５の逃がし空間部４６を通過し、延出部１６の先端部分がフード４１の挿入空間部４４側の進入溝４７に進入して配置される。これにより、図５〜図７に示すように、各カム軸１７がフード４１の挿入空間部４４側の上下面から外側に突出して配置される。
【００３２】
さらに、初期位置では、図２に示すように、各雄端子金具１００のタブ１０２の先端側が保護壁４２の各位置決め孔５３に位置決め状態で挿入される。各雄端子金具１００のタブ１０２の先端（前端）は、各位置決め孔５３の内側に位置し、保護壁４２の前面から突出しない状態になる。このため、各雄端子金具１００が保護壁４２によって外部異物から保護される。
【００３３】
雄コネクタＣ１及び雌コネクタＣ２の嵌合に先立ち、図１３に示すように、レバー８０は相手ハウジング６０に対して仮係止位置に保持される。その状態で、雌コネクタＣ２が、上記雄コネクタＣ１の挿入空間部４４に浅く嵌合される。すると、図２に示すように、フレーム４０のフード４１の前部が相手ハウジング本体６１と枠部６２との間に挿入されるとともに、各カム軸１７が導入口６８を通して対応するカム溝８３の入り口に進入する。また、相手ハウジング本体６１が保護壁４２に当接可能に対面して配置される。その状態で、操作部８１が押圧され、レバー８０が相手ハウジング６０に対して本係止位置へ向けてスライド移動させられる。
【００３４】
レバー８０が本係止位置へ向かう過程では、各カム軸１７が対応するカム溝８３の溝面を摺動し、レバー８０とハウジング１０との間にカム機構が作用する。一方、レバー８０とフレーム４０との間にはカム機構が作用しない。保護壁４２に対して相手ハウジング本体６１から押圧力が付与され、前進規制部１９と前側ストッパ４９との当接状態が弾性的に解除されることにより、ハウジング１０がフレーム４０を残してフード４１内に引き込まれて行く。
【００３５】
レバー８０が本係止位置へ向けてスライド移動される間、フレーム４０は、ハウジング１０に対して初期位置から嵌合位置へ向けて相対的に後退変位し、保護壁４２がハウジング１０の前面側へ次第に近づいて行く。これにより、各雄端子金具１００のタブ１０２が保護壁４２から前方に突出し、タブ１０２の突出量が次第に増加する。なお、レバー８０の移動過程で、各カム軸１７の鍔部１６はカム板部８２の外面側を摺動可能となっている。
【００３６】
レバー８０が本係止位置に到達すると、各カム軸１７が対応するカム溝８３の奥側に移行し、フレーム４０がハウジング１０に対して相対的に嵌合位置に至らしめられる。図３に示すように、嵌合位置では、相手ハウジング本体６１が挿入空間部４４の略全域に深く挿入され、保護壁４２がハウジング１０の前面側に実質的に当接してハウジング１０と相手ハウジング本体６１との間に板厚方向に挟まれる。そして、各雄端子金具１００のタブ１０２の基端側が保護壁４２の各位置決め孔５３に挿入され、各雄端子金具１００のタブ１０２の先端側が対応する雌端子金具２００の接続部２０１内に正規深さで挿入されて電気的に接続される。また、嵌合位置では、各ロック突起５２が各ロック部７１に弾性的に係止され、雄コネクタＣ１及び雌コネクタＣ２が嵌合状態に保持される。
【００３７】
メンテナンス等の事情により雄コネクタＣ１及び雌コネクタＣ２を離脱させる際には、各ロック突起５２と各ロック部７１との係止が解除され、操作部８１が引っ張られて、レバー８０が仮係止位置へと戻り方向にスライド移動させられる。レバー８０が仮係止位置へ向かう過程では、各カム軸１７が対応するカム溝８３の溝面（嵌合時とは反対側の溝面）を摺動し、レバー８０とハウジング１０との間にカム機構が作用する。これにより、ハウジング１０がフレーム４０を残してフード４１から引き離され、図２に示す元の初期位置に至らしめられる。雄コネクタＣ１及び雌コネクタＣ２の嵌合離脱時においては、レバー８０とハウジング１０との間にカム機構が作用するため、相手ハウジング６０とフレーム４０との相対位置が実質的に一定に保たれ、相手ハウジング本体６１が保護壁４２に対面する状態が維持される。
【００３８】
本実施例１の場合、フレーム４０がハウジング１０に対して相対的に初期位置にあるときに、ハウジング１０の前面からフード４１の先端（前端）までの距離（フード部分全体の深さ）が十分に長くなるように設定されている。このため、仮に、雄コネクタＣ１及び雌コネクタＣ２の嵌合時に、相手ハウジング６０がハウジング１０に対して嵌合軸から傾いたこじり姿勢をとっていても、相手ハウジング６０が保護壁４２と当接するのを回避することができ、あるいは相手ハウジング６０が保護壁４２と当接する衝突力を小さく抑えることができる。このため、保護壁４２が各雄端子金具１００のタブ１０２を保護する保護機能が適正に発揮され、こじり嵌合を防止する信頼性を高めることができる。また、フレーム４０がハウジング１０に対して相対的に嵌合位置にあるときに、ハウジング１０の前面からフード４１の先端までの距離が初期位置よりも短く、雄コネクタＣ１の全長が小さくなるため、雄コネクタＣ１をコンパクトに扱うことができる。
【００３９】
また、本実施例１の場合、ハウジング１０が複数の分割ハウジング１１で構成されることから、そもそも、フレーム４０をハウジング１０と一体に設けるのが困難であるという事情がある。このため、フレーム４０とハウジング１０とを別体とした上、さらに、フード４１と保護壁４２とが別体になると、部品点数が増加し、組み付け作業及び部品管理が煩雑になる。その点、上記によれば、フード４１と保護壁４２とがフレーム４０に一体に設けられているため、部品点数が増加するのを抑えることができ、組み付け作業及び部品管理の煩雑さを解消することができる。
【００４０】
また、フレーム４０がハウジング１０に対して初期位置と嵌合位置とに相対移動する動作は、レバー８０が相手ハウジング６０に対して仮係止位置と本係止位置とに変位させる動作と連動しているため、特別な作業を行う必要がなく、作業負担を軽減することができる。
【００４１】
さらに、レバー８０が相手ハウジング６０側に設けられているため、ハウジング１０側の設計の自由度を高めることができ、フレーム４０にハウジング１０の収容空間部４３を支障なく設けることができる。しかも、フレーム４０にカム軸１７を逃がす逃がし空間部４６が設けられているため、カム軸１７を含むハウジング１０が組付過程でフレーム４０と干渉するのを確実に回避することができる。
【００４２】
＜実施例２＞
図１５は、本発明の実施例２のハウジング１０Ａを示す。実施例２のハウジング１０Ａは、一体のハウジング本体２３で構成されており、複数の分割ハウジング１１で構成される実施例１とは異なる。
【００４３】
ハウジング本体２３は、上下複数段のキャビティ１２を一体に有し、上下面に、対をなす延出部１６及びカム軸１７を有しているとともに、延出部１６を挟んだ左右両側に、それぞれ、対をなす前進規制部１９及び後退規制部２１を有している。各キャビティ１２、各延出部１６、各カム軸１７、各前進規制部１９及び各後退規制部２１の形態は、実施例１と同一である。このようにハウジング１０Ａが一体で構成される点を除けば、実施例２は実施例１と実質的に同様である。  
【００４４】
＜他の実施例＞
以下、他の実施例を簡単に説明する。
（１）雄コネクタ及び雌コネクタがレバーを介さずに手操作で嵌合されるものであってもよい。この場合、上記実施例１と同様、相手ハウジングとハウジングとが互いに接近離脱し、相手ハウジングとフレームとが実質的に一定の距離に保たれることで、ハウジングに対するフレームの相対位置が初期位置と嵌合位置とに変位するように構成されるとよい。
（２）レバーは、ハウジング側に設けられるものであってもよい。
（３）レバーは、相手ハウジングの枠部に回動可能に支持され、仮係止位置と本係止位置とに回動してカム機構を発揮する回動式のものであってもよい。
（４）ハウジングに対してフレームが相対的に初期位置にあるときに、雄端子金具のタブの先端部が保護壁から前方に突出する構成であってもよい。
【符号の説明】
【００４５】
１０…ハウジング
１１…分割ハウジング
１７…カム軸
４０…フレーム
４１…フード
４２…保護壁
４６…逃がし空間部
５３…位置決め孔
６０…相手ハウジング
８０…レバー
８３…カム溝
１００…雄端子金具
１０１…本体部
１０２…タブ
Ｃ１…雄コネクタ
Ｃ２…雌コネクタ
【図１】
2019096535.tif 000003
【図２】
2019096535.tif 000004
【図３】
2019096535.tif 000005
【図４】
2019096535.tif 000006
【図５】
2019096535.tif 000007
【図６】
2019096535.tif 000008
【図７】
2019096535.tif 000009
【図８】
2019096535.tif 000010
【図９】
2019096535.tif 000011
【図１０】
2019096535.tif 000012
【図１１】
2019096535.tif 000013
【図１２】
2019096535.tif 000014
【図１３】
2019096535.tif 000015
【図１４】
2019096535.tif 000016
【図１５】
2019096535.tif 000017